(57)【要約】【課題】試験で使用する最大数のセルを用意しなくても、各種試験に対応することができる移動端末試験装置を提供すること。【解決手段】移動体通信端末２と通信を行なう複数のセルの使用状態を判定するセル状態判定部１６と、複数のセルの状態を変更するとともに、複数のセルの使用状態をセル状態判定部１６に通知するセル状態変更処理部１７と、移動体通信端末２との間で送受信するメッセージに基づいてセルを追加で使用する数及び使用しなくなって削除可能な数を検知し、削除可能なセルをセル状態変更処理部１７により初期化して使用可能とするシナリオ処理部１５と、を備える。【選択図】図１
2016174284.tif 000002
【特許請求の範囲】
【請求項１】
移動体通信の基地局を擬似して移動体通信端末（２）を試験する移動端末試験装置（１）であって、
前記移動体通信端末と通信を行なう複数のセルの使用状態を判定するセル状態判定部（１６）と、
前記複数のセルの状態を変更するとともに、前記複数のセルの使用状態を前記セル状態判定部に通知するセル状態変更処理部（１７）と、
前記移動体通信端末との間で送受信するメッセージに基づいて前記セルを追加で使用する数及び使用しなくなって削除可能な数を検知し、削除可能なセルを前記セル状態変更処理部により初期化して使用可能とするシナリオ処理部（１５）と、を備える移動端末試験装置。
【請求項２】
前記シナリオ処理部は、前記セルを追加で使用することを検知したとき、追加が必要なセル数が未使用のセル数より多い場合、削除可能なセル数が不足のセル数以上であれば、削除可能なセルを前記セル状態変更処理部により初期化して追加のセルとして使用する請求項１に記載の移動端末試験装置。
【請求項３】
前記シナリオ処理部は、ハンドオーバーの実行を要求するメッセージに基づいて前記セルを追加で使用する数及び使用しなくなって削除可能な数を検知する請求項１または２に記載の移動端末試験装置。
【請求項４】
前記移動端末試験装置は、複数の前記セルを同時に用いて通信を行なう通信方式の試験を実施可能に構成されている請求項１から３のいずれか１項に記載の移動端末試験装置。
【請求項５】
移動体通信の基地局を擬似して移動体通信端末を試験する移動端末試験装置のセル追加方法であって、
前記移動体通信端末との間で送受信するメッセージに基づいて前記移動体通信端末と通信を行なうセルを追加で使用する数及び使用しなくなって削除可能な数を検知するステップと、
追加が必要なセル数が未使用のセル数より多い場合、削除可能なセル数が不足のセル数以上であれば、削除可能なセルを前記セル状態変更処理部により初期化して追加のセルとして使用するステップと、を備えたセル追加方法。
【発明の詳細な説明】
【技術分野】
【０００１】
本発明は、移動体通信端末の試験を行なうため、移動体通信端末との間で通信を行なう移動端末試験装置に関する。
【背景技術】
【０００２】
携帯電話やデータ通信端末等の移動体通信端末の開発にあたり、移動体通信端末が通信規格に従って正常に通信できるか否かを試験するための移動端末試験装置が用いられる。移動端末試験装置は、移動端末試験装置の動作が設定された動作シーケンスや、移動体通信端末との送受信信号が設定された通信シーケンスが試験シナリオとして予め作成されて記憶され、この試験シナリオに従って１つ以上の擬似基地局として動作して試験対象の移動体通信端末と通信し試験を行なう。
【０００３】
試験シナリオによって構成される試験は、プロトコル試験等のように１つの擬似基地局のみを使用する試験から複数の擬似基地局を同時に使用する試験、例えば、ハンドオーバー試験や周辺の擬似基地局の信号の品質等を測定するメジャメント試験など多岐にわたり、移動端末試験装置も試験シナリオによって複数の擬似基地局として動作する必要があった。
【０００４】
近年、移動体通信規格では、通信レート向上のため、複数の通信帯域（以下、「セル」という）を同時に用いて通信を行なう方式、例えば、ＬＴＥ−Ａ（Long Term Evolution-Advanced）におけるキャリアアグリゲーション（Carrier Aggregation）やDual Connectivityが規格化されている。キャリアアグリゲーションやDual Connectivityでは、それぞれ最大で５つのセルを１つの移動体通信端末に対して使用可能に規定されている。
【０００５】
特許文献１には、複数のセルを使用した通信の試験を行なう移動端末試験装置において、移動端末試験装置の使用するセルの状態を表示することが記載されている。
【先行技術文献】
【特許文献】
【０００６】
【特許文献１】特開２０１４−２１６７２７号公報
【発明の概要】
【発明が解決しようとする課題】
【０００７】
従来では、移動体通信端末は、１つのセルで基地局と通信を行なっていたが、上述のような通信方式では、移動体通信端末は、複数のセルを使って基地局と通信を行なうようになる。このため、上述のような通信方式に対応した移動体通信端末を試験する移動端末試験装置では、より多くのセルにより通信可能な構成が必要とされている。しかしながら、１つの移動体通信端末で複数のセルを使って通信を行なうため、ハンドオーバー等の試験を行なう場合は、セルの数が通常の２倍以上必要になり、このような数のセルを試験に必要な数に応じて拡張することは、実装上非常に困難である。
【０００８】
そこで、本発明は、試験で使用する最大数のセルを用意しなくても、各種試験に対応することができる移動端末試験装置を提供することを目的としている。
【課題を解決するための手段】
【０００９】
本発明の移動端末試験装置は、移動体通信の基地局を擬似して移動体通信端末を試験する移動端末試験装置であって、移動体通信端末と通信を行なう複数のセルの使用状態を判定するセル状態判定部と、複数のセルの状態を変更するとともに、複数のセルの使用状態をセル状態判定部に通知するセル状態変更処理部と、移動体通信端末との間で送受信するメッセージに基づいてセルを追加で使用する数及び使用しなくなって削除可能な数を検知し、削除可能なセルをセル状態変更処理部により初期化して使用可能とするシナリオ処理部と、を備えるものである。
【００１０】
この構成により、使用しなくなって削除可能なセルが初期化されて再利用される。このため、試験で使用する最大数のセルを用意しなくても、各種試験に対応することができる。
【００１１】
また、本発明の移動端末試験装置において、シナリオ処理部は、セルを追加で使用することを検知したとき、追加が必要なセル数が未使用のセル数より多い場合、削除可能なセル数が不足のセル数以上であれば、削除可能なセルをセル状態変更処理部により初期化して追加のセルとして使用するものである。
【００１２】
この構成により、未使用のセル数が追加の必要なセル数に足りないとき、使用しなくなって削除可能なセルが初期化されて再利用される。このため、試験で使用する最大数のセルを用意しなくても、各種試験に対応することができる。
【００１３】
また、本発明の移動端末試験装置において、シナリオ処理部は、ハンドオーバーの実行を要求するメッセージに基づいてセルを追加で使用する数及び使用しなくなって削除可能な数を検知するものである。
【００１４】
この構成により、ハンドオーバーで使用しなくなったセルが初期化されて再利用される。このため、試験で使用する最大数のセルを用意しなくても、各種試験に対応することができる。
【００１５】
また、本発明の移動端末試験装置は、複数の前記セルを同時に用いて通信を行なう通信方式の試験を実施可能に構成されている。
【００１６】
この構成により、複数のセルを同時に用いる通信において、使用しなくなったセルが初期化されて再利用される。このため、セルを多数必要とする複数のセルを同時に用いる通信方式の試験において、試験で使用する最大数のセルを用意しなくても、各種試験に対応することができる。
【００１７】
また、本発明のセル追加方法は、移動体通信の基地局を擬似して移動体通信端末を試験する移動端末試験装置のセル追加方法であって、移動体通信端末との間で送受信するメッセージに基づいて移動体通信端末と通信を行なうセルを追加で使用する数及び使用しなくなって削除可能な数を検知するステップと、追加が必要なセル数が未使用のセル数より多い場合、削除可能なセル数が不足のセル数以上であれば、削除可能なセルをセル状態変更処理部により初期化して追加のセルとして使用するステップと、を備えたものである。
【００１８】
この構成により、使用しなくなって削除可能なセルが初期化されて再利用される。このため、試験で使用する最大数のセルを用意しなくても、各種試験に対応することができる。
【発明の効果】
【００１９】
本発明は、試験で使用する最大数のセルを用意しなくても、各種試験に対応することができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置のセル追加処理手順を説明するフローチャートである。
【図３】図３は、本発明の一実施形態に係る移動端末試験装置のセル追加処理手順によるセル使用の変化の第１例を示すタイムチャートである。
【図４】図４は、本発明の一実施形態に係る移動端末試験装置のセル追加処理手順によるセル使用の変化の第２例を示すタイムチャートである。
【発明を実施するための形態】
【００２１】
以下、図面を参照して、本発明の実施形態について詳細に説明する。
図１において、本発明の一実施形態に係る移動端末試験装置１は、擬似基地局として同軸ケーブル等を介して有線で移動体通信端末２と無線信号を送受信するようになっている。なお、移動端末試験装置１は、アンテナを介して無線で移動体通信端末２と信号を送受信するようにしてもよい。移動端末試験装置１は、ＬＴＥ−Ａの規格に対応しており、キャリアアグリゲーション技術により移動体通信端末２との間で通信できるようになっている。
【００２２】
移動端末試験装置１は、結合器１１と、複数の送受信部１２−１〜４と、レイヤ処理部１３と、メッセージ処理部１４と、シナリオ処理部１５と、セル状態判定部１６と、セル状態変更処理部１７とを含んで構成されている。
【００２３】
結合器（カプラ）１１は、試験対象の移動体通信端末２と送受信部１２−１〜４とを接続する回路素子である。結合器１１は、送受信部１２−１〜４の送信する無線信号を結合して移動体通信端末２に送信する。また、結合器１１は、移動体通信端末２から受信した信号を送受信部１２−１〜４それぞれに送信する。
【００２４】
送受信部１２−１〜４は、レイヤ処理部１３の出力信号からベースバンド帯域の送信信号を生成し、ＲＦ（Radio Frequency）帯域へ周波数変換し、電力増幅して結合器１１を介して移動体通信端末２へ送信する。また、送受信部１２−１〜４は、移動体通信端末２から送信され結合器１１を介して受信したＲＦ帯域の信号を、ベースバンド帯域へ周波数変換して受信信号として取得し、レイヤ処理部１３へ出力する。本実施形態では、最大４つの複数セルによる通信が可能なように、４つの送受信部１２−１〜４を備える例を示している。
【００２５】
レイヤ処理部１３は、所定の通信プロトコルに基づく信号処理を行なうもので、複数の階層（レイヤ）を持つレイヤ構成の通信プロトコルのそれぞれのレイヤの処理を実行する。レイヤ処理部１３は、複数のセル処理部３１−１〜４を有している。
【００２６】
セル処理部３１−１〜４は、送受信部１２−１〜４を介して移動体通信端末２との間で無線信号を送受信して、１つのセルとして呼制御を行なう。
【００２７】
メッセージ処理部１４は、移動体通信端末２との間で呼制御のメッセージを送受信して、試験シナリオに従って移動体通信端末２との通信を行なう。メッセージ処理部１４は、シナリオ処理部１５からの試験シナリオに基づく指示に従って、移動体通信端末２へ送信するメッセージを作成し、レイヤ処理部１３へ出力する。また、メッセージ処理部１４は、レイヤ処理部１３を介して移動体通信端末２から受信したメッセージをシナリオ処理部１５に出力する。
【００２８】
シナリオ処理部１５は、移動端末試験装置１の設定及び試験手順が記述された試験シナリオを保持し、試験シナリオに従って試験の各手順を実行するために装置各部を制御する。
【００２９】
セル状態判定部１６は、移動端末試験装置１の物理的に使用可能なセルの状態を管理し、試験で使用中か否かを判定する。セル状態判定部１６は、複数のセル判定部６１−１〜４を有している。
【００３０】
セル判定部６１−１〜４は、それぞれ対応するセルが使用中か使用中でないかを管理する。セル判定部６１−１〜４は、シナリオ処理部１５からの問い合わせに対して、セルが使用中か否かを応答する。また、セル判定部６１−１〜４は、セル状態変更処理部１７からの通知により、セルの使用状態を変更する。
【００３１】
セル状態変更処理部１７は、シナリオ処理部１５からの指示によりレイヤ処理部１３に対してセルの初期化やセルの追加やセルの切り替えを指示する。セルの初期化とは、使用しなくなったセルを初期状態に戻し、未使用状態とすることである。セルの追加とは、初期化され未使用状態のセルを予め設定されたパラメータで使用状態とすることである。セルの切り替えとは、セルの初期化後にセルの追加を行なうことである。
【００３２】
また、セル状態変更処理部１７は、シナリオ処理部１５からの指示によりレイヤ処理部１３に対して行なったセルの処理に基づいて、セル状態判定部１６のセルの状態を変更する。セル状態変更処理部１７は、例えば、状態を変更するセルの番号と、変更後の状態を示す情報を含む信号をセル状態判定部１６に送信してセルの状態を変更させる。セル状態判定部１６は、受信した信号に基づいて、該当のセルの状態を変更する。
【００３３】
セル状態変更処理部１７は、セル初期化部７１と、セル追加処理部７２と、セル切り替え処理部７３とを備えている。
【００３４】
セル初期化部７１は、シナリオ処理部１５からの指示に基づいて初期化が可能なセルを初期化するようにレイヤ処理部１３に指示を出し、セル状態判定部１６に当該セルの状態を未使用状態とするように信号を送信する。
【００３５】
セル追加処理部７２は、シナリオ処理部１５からの指示に基づいて追加が必要なセルを予め設定されたパラメータで使用状態とするようにレイヤ処理部１３に指示を出し、セル状態判定部１６に当該セルの状態を使用状態とするように信号を送信する。
【００３６】
セル切り替え処理部７３は、シナリオ処理部１５からの指示に基づいて切り替えが可能なセルを初期化するとともに予め設定されたパラメータで使用状態とするようにレイヤ処理部１３に指示を出し、セル状態判定部１６に当該セルの状態を使用状態とするように信号を送信する。
【００３７】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３８】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３９】
このように、本実施形態において、メッセージ処理部１４、シナリオ処理部１５、セル状態判定部１６及びセル状態変更処理部１７は、ＣＰＵによって構成され、送受信部１２−１〜４及びレイヤ処理部１３は、通信モジュールによって構成される。
【００４０】
このような構成の移動端末試験装置１において、移動体通信端末２の試験を行なう場合、まず、ユーザにより試験に使用する試験シナリオの作成が行なわれる。試験シナリオの作成は、他の装置によって行なわれてもよいし、ユーザによるタッチパネルの操作により、例えば、タッチパネルに試験シナリオ作成画面を表示させて、セル処理部３１−１〜４で擬似するセルの情報や実行させたいシーケンスなどを設定させる。
【００４１】
ユーザは、目的の試験に合わせて各種情報を基地局ごとに設定する。シナリオ処理部１５は、設定された情報に基づいて、報知情報やシーケンス情報などを生成し、擬似基地局の試験シナリオとして識別情報と関連付けてハードディスク装置などの記憶装置に記憶させる。
【００４２】
また、ユーザは、複数の基地局を使った試験を行なう場合、基地局のセルの配置を設定する。シナリオ処理部１５は、設定されたセル配置の情報に基づいて、使用すると設定された擬似基地局の試験シナリオの報知情報の隣接セルの情報などを自動的に生成し、セル配置の試験シナリオとして使用する擬似基地局の試験シナリオと識別情報とを関連付けてハードディスク装置などの記憶装置に記憶させる。
【００４３】
なお、他の装置で作成された試験シナリオは、外部記憶媒体を介して移動端末試験装置１のハードディスク装置などの記憶装置に識別情報と関連付けて記憶される。
【００４４】
このような試験シナリオの作成をした後、ユーザは、移動端末試験装置１と移動体通信端末２とを有線で接続し、識別情報に基づいて使用する擬似基地局の試験シナリオまたはセル配置の試験シナリオを選択する。
【００４５】
シナリオ処理部１５は、選択された擬似基地局の試験シナリオまたはセル配置の試験シナリオの識別情報に関連付けられた試験シナリオを記憶装置から読み出し、読み出した試験シナリオに基づいてレイヤ処理部１３に報知情報の内容や位置登録処理における送信情報などを通知し、擬似基地局としての動作を開始させる。
【００４６】
使用する擬似基地局の試験シナリオを選択した後、ユーザは、移動体通信端末２の電源を入れるなどして位置登録を行なわせ、移動端末試験装置１側で位置登録が正常に行なわれたかを確認する。
【００４７】
シナリオ処理部１５は、位置登録が行なわれた状態で、ユーザによるタッチパネルの操作により擬似基地局の試験シナリオに設定されたシーケンスの実行の操作が行なわれると、指定されたシーケンスの情報に基づいてレイヤ処理部１３から無線信号を送信させたり、移動体通信端末２から受信した無線信号に対する無線信号をレイヤ処理部１３から送信させたりする。
【００４８】
このような移動端末試験装置１において、シナリオ処理部１５は、ハンドオーバー等のシーケンス後に不要になったセル、例えば、ハンドオーバー元のセルを初期化し、新たなセルとして再利用することで擬似的にセル数を増加させ、各種試験に対応できるようになっている。
【００４９】
移動体通信端末２の設定変更（セルの構成の変更やハンドオーバーなど）を行なう場合の手順としては、以下のようになっている。
１）基地局より設定変更後の設定が記載されたメッセージ、例えば、ＬＴＥの場合、RRC Connection Reconfiguration message等を基地局側の設定を変える前に移動体通信端末２に対して送信する。
２）基地局側の移動体通信端末２向けの設定を変更後の設定に変更する。
３）移動体通信端末２から切り替え後の設定のセルで完了メッセージ、例えば、ＬＴＥの場合、RRC Connection Reconfiguration Complete message等を受信する。
【００５０】
このような手順に着目して、シナリオ処理部１５は、移動体通信端末２との送受信メッセージに基づいて、新たに追加が必要なセル数や使用しなくなって不要になるセル数を検知する。
【００５１】
具体的には、シナリオ処理部１５は、シナリオに設定されたシーケンスの実行中に、移動体通信端末２との間で送受信するメッセージを監視し、送受信するメッセージに基づいてセルの追加が発生するか否かを判定する。
【００５２】
シナリオ処理部１５は、セルの追加が発生すると判定した場合、セル状態判定部１６から各セルの状態を取得し、未使用状態のセル数が追加の必要なセル数以上であれば、セル状態変更処理部１７に追加が必要なセル数分のセルの追加を指示する。セルの追加の指示を受けたセル状態変更処理部１７は、レイヤ処理部１３に追加が必要なセルを試験シナリオで設定されたパラメータで使用状態とするように指示を出し、セル状態判定部１６に当該セルの状態を使用状態とするように信号を送信する。
【００５３】
一方、シナリオ処理部１５は、未使用状態のセル数が追加の必要なセル数より少ない場合、削除可能な使用しなくなるセル数と未使用状態のセル数を足したセル数が追加の必要なセル数以上であれば、セル状態変更処理部１７に未使用状態のセルの追加と、削除可能なセルの切り替えを指示する。セルの追加と切り替えの指示を受けたセル状態変更処理部１７は、レイヤ処理部１３に追加のセルを試験シナリオで設定されたパラメータで使用状態とするように指示を出し、切り替えのセルを初期化の後に試験シナリオで設定されたパラメータで使用状態とするように指示を出し、セル状態判定部１６に当該セルの状態を使用状態とするように信号を送信する。
【００５４】
一方、シナリオ処理部１５は、削除可能な使用しなくなるセル数と未使用状態のセル数を足したセル数が追加の必要なセル数より少ない場合、例えば、タッチパネルにエラーメッセージを表示させるなどして、ユーザにエラーの発生を通知する。
【００５５】
以上のように構成された本実施形態に係る移動端末試験装置１によるセル追加処理について、図２を参照して説明する。なお、以下に説明するセル追加処理は、試験シナリオの実行が開始されると開始される。
【００５６】
まず、シナリオ処理部１５は、試験シナリオの実行中の送受信メッセージを監視し（ステップＳ１）、送受信メッセージからセルの追加が行なわれるか否かを判定する（ステップＳ２）。セルの追加が行なわれないと判定した場合、シナリオ処理部１５は、ステップＳ１に戻って監視を繰り返す。
【００５７】
一方、セルの追加が行なわれると判定した場合、シナリオ処理部１５は、セル状態判定部１６から各セルの状態を取得し（ステップＳ３）、未使用状態のセル数が追加の必要なセル数以上であるか否かを判定する（ステップＳ４）。
【００５８】
未使用状態のセル数が追加の必要なセル数以上であると判定した場合、シナリオ処理部１５は、移動体通信端末２に対して設定の変更のメッセージを送信し（ステップＳ５）、追加が必要なセルの追加処理を行ない（ステップＳ６）、削除可能なセルについてセル初期化処理を行ない（ステップＳ７）、ステップＳ１に戻って監視を繰り返す。
【００５９】
一方、未使用状態のセル数が追加の必要なセル数以上でないと判定した場合、シナリオ処理部１５は、削除可能なセル数と未使用状態のセル数を足したセル数が追加の必要なセル数以上であるか否かを判定する（ステップＳ８）。
【００６０】
削除可能なセル数と未使用状態のセル数を足したセル数が追加の必要なセル数以上であると判定した場合、シナリオ処理部１５は、移動体通信端末２に対して設定の変更のメッセージを送信し（ステップＳ９）、切り替えが必要な削除可能なセルの切り替え処理を行ない（ステップＳ１０）、ステップＳ６に進み、追加が必要な未使用状態のセルの追加処理を行ない（ステップＳ６）、削除可能なセルについてセル初期化処理を行ない（ステップＳ７）、ステップＳ１に戻って監視を繰り返す。
【００６１】
一方、削除可能なセル数と未使用状態のセル数を足したセル数が追加の必要なセル数以上でないと判定した場合、シナリオ処理部１５は、ユーザに対してエラーを通知し（ステップＳ１１）、処理を終了する。
【００６２】
このようなセル追加処理による動作について図３及び図４を参照して説明する。図３は、２つのセルを使用する呼が２回ハンドオーバーを行ない、合計で６個のセルを使用する場合を示す。この場合、従来の試験装置で４個のセルを使用可能な構成では、セルが足りなくて試験ができない。
【００６３】
本実施形態では、Ｔ１１において、シナリオ処理部１５がCell 1をCell Aとして設定し、Ｔ１２において、Cell Aをプライマリセル（ＰＣｅｌｌ）として移動体通信端末２と通信を開始する。次いで、シナリオ処理部１５は、Ｔ１３において、Cell 2をCell Bとし、Cell Bをセカンダリセル（ＳＣｅｌｌ）としてアクティベートして、Cell AとCell Bとで通信を開始する。
【００６４】
次いで、シナリオ処理部１５は、Ｔ１４において、ハンドオーバーのメッセージを検知する。この時、シナリオ処理部１５は、未使用状態のセル数（Cell 3、Cell 4）が追加するセル数と等しいので、未使用状態のセルCell 3とCell 4を追加処理してCell CとCell Dとしてハンドオーバーを行なわせ、不要となったセル（Cell 1、Cell 2）を初期化処理して未使用状態とする。
【００６５】
次いで、シナリオ処理部１５は、Ｔ１５において、２回目のハンドオーバーのメッセージを検知する。この時、シナリオ処理部１５は、未使用状態のセル数（Cell 1、Cell 2）が追加するセル数と等しいので、未使用状態のセルCell 1とCell 2を追加処理してCell EとCell Fとしてハンドオーバーを行なわせ、不要となったセル（Cell 3、Cell 4）を初期化処理して未使用状態とする。
【００６６】
このように、ハンドオーバーで使用しなくなったハンドオーバー元のセルを、初期化して未使用状態にしているため、２回目のハンドオーバーにおいて、そのセルを使用可能にすることができ、６個のセルを使用する試験を４個のセルを使用可能な試験装置で試験することができる。
【００６７】
次に、図４は、３つのセルを使用する呼が１回ハンドオーバーを行ない、その間に１つのセルを周辺セルとして認識させる試験で、合計で６個のセルを使用する場合を示す。この場合、従来の試験装置で４個のセルを使用可能な構成では、セルが足りなくて試験ができない。
【００６８】
本実施形態では、Ｔ２１において、シナリオ処理部１５がCell 1をCell Aとして設定し、Ｔ２２において、Cell Aをプライマリセルとして移動体通信端末２と通信を開始する。次いで、シナリオ処理部１５は、Ｔ２３において、Cell 2をCell Bとし、Cell Bをセカンダリセルとしてアクティベートするとともに、Cell 3をCell Cとし、Cell Cをセカンダリセルとしてアクティベートして、Cell AとCell BとCell Cとで通信を開始する。
【００６９】
次いで、シナリオ処理部１５は、Ｔ２４において、Cell 4をCell Dとし、Cell Dを周辺セルとして追加し、移動体通信端末２に認識させる。
【００７０】
次いで、シナリオ処理部１５は、Ｔ２５において、Cell A、B、CからCell D、E、Fへのハンドオーバーのメッセージを検知する。この時、シナリオ処理部１５は、未使用状態のセルが無いため、ハンドオーバーにより使用しなくなるセル数（Cell 1、Cell 2、Cell 3）が追加するセル数（２）以上なので、使用しなくなるセルCell 2とCell 3を切り替え処理してCell EとCell Fとしてハンドオーバーを行なわせ、不使用となったセル（Cell 1）を初期化処理して未使用状態とする。
【００７１】
このように、ハンドオーバーで使用しなくなったハンドオーバー元のセルを、切り替えて使用しているため、ハンドオーバーにおいて、そのセルを使用可能にすることができ、６個のセルを使用する試験を４個のセルを使用可能な試験装置で試験することができる。
【００７２】
以上に説明したように、上述の実施形態では、シナリオ処理部１５が、移動体通信端末２との間で送受信するメッセージを監視し、このメッセージによりセルの追加や削除を検知し、追加が必要なセル数を未使用のセル数や削除するセル数によって補うようにしている。
【００７３】
これにより、試験で使用する最大数のセルを用意しなくても、試験で使用する最大数のセルより少ないセルの構成の移動端末試験装置で各種試験に対応することができる。
【００７４】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７５】
１  移動端末試験装置
２  移動体通信端末
１１  結合器
１２−１〜４  送受信部
１３  レイヤ処理部
１４  メッセージ処理部
１５  シナリオ処理部
１６  セル状態判定部
１７  セル状態変更処理部
６１−１〜４  セル判定部
７１  セル初期化部
７２  セル追加処理部
７３  セル切り替え処理部
【図１】
2016174284.tif 000003
【図２】
2016174284.tif 000004
【図３】
2016174284.tif 000005
【図４】
2016174284.tif 000006